(57)【要約】【課題】マンコンベアの欄干装置の安全性及び作業性を改善する。【解決手段】欄干装置３０において、欄干パネル３１の下端部を覆うように取り付けられる内側デッキ３３の表面（ステップ１４側を向く面）に嵌合溝５２が形成され、嵌合溝５２の内面にネジ穴５０が設けられている。ネジ穴５０にネジ５１が挿入されると、内側デッキ３３がネジ５１によりスカートアングル３６に固定される。そして、嵌合溝５２に飾り片３８が嵌合されると、ネジ穴５０に挿入されて表面（ステップ１４側を向く面）に露出したネジ５１が飾り片３８により覆われる。【選択図】図１
2010184751.tif 000002
【特許請求の範囲】
【請求項１】
マンコンベアのステップの移動方向に沿って立設される欄干パネルと、
表面に溝が形成され、前記溝の内面に貫通孔が設けられており、前記欄干パネルの少なくとも一部を覆うように取り付けられる化粧板と、
前記化粧板が固定される固定部材と、
前記貫通孔に挿入されて前記化粧板を前記固定部材に固定する固定具と、
前記貫通孔に挿入されて表面に露出した前記固定具を、前記溝に嵌合されて覆う飾り片とを備えることを特徴とするマンコンベアの欄干装置。
【請求項２】
前記溝と前記飾り片との少なくともいずれかには、前記溝から前記飾り片を取り外すための取り外し具を挿入するための切り欠きが設けられていることを特徴とする請求項１に記載のマンコンベアの欄干装置。
【請求項３】
前記飾り片は、略円柱状に形成されていることを特徴とする請求項１又は２に記載のマンコンベアの欄干装置。
【請求項４】
前記飾り片は、マンコンベアの乗り口から降り口まで延びる一本物として形成されていることを特徴とする請求項１から３までのいずれかに記載のマンコンベアの欄干装置。
【請求項５】
前記欄干装置は、前記飾り片を複数備え、
各飾り片は、前記溝から別々に取り外せることを特徴とする請求項１から４までのいずれかに記載のマンコンベアの欄干装置。
【請求項６】
前記欄干装置は、さらに、
穿孔が設けられており、表面が前記ステップの側面に近接して相対するように取り付けられるスカートパネルを備え、
前記化粧板は、前記欄干パネルと前記スカートパネルとの間を塞ぐように取り付けられ、
前記固定部材には、前記化粧板とともに前記スカートパネルが固定され、
前記欄干装置は、さらに、
前記穿孔に挿入されて前記スカートパネルを前記固定部材に連結する連結具を備え、
前記化粧板の下端は、前記穿孔に挿入されて表面に露出した前記連結具を覆うように延設されていることを特徴とする請求項１から５までのいずれかに記載のマンコンベアの欄干装置。
【発明の詳細な説明】
【技術分野】
【０００１】
本発明は、マンコンベアの欄干装置（単に「欄干」ともいう）に関するものである。本発明は、特に、インナデッキ（内側デッキ）ネジ隠し用の飾り片の外し構造に関するものである。
【背景技術】
【０００２】
従来のマンコンベアの欄干装置では、ステップ（踏段）に乗った乗客の衣服の裾が、スカートパネルに内側デッキを取り付けているネジに引っ掛からないように、当該ネジを覆い部材によって覆うようにしていた（例えば、特許文献１参照）。
【先行技術文献】
【特許文献】
【０００３】
【特許文献１】特開２０００−４４１５２号公報
【発明の概要】
【発明が解決しようとする課題】
【０００４】
図８及び図９によって上記のような従来のマンコンベアの欄干装置について説明をする。
【０００５】
図８は、マンコンベア１０の側面図である。
【０００６】
図８において、マンコンベア１０は、主枠１１、欄干装置１２、ゴム手摺１３、ステップ１４を備えている。
【０００７】
欄干装置１２は、乗客を乗せて所定の方向に移動するステップ１４の両側に設けられている。欄干装置１２の上部には、ステップ１４と同じ速度で同じ方向に移動するゴム手摺１３が配設されている。
【０００８】
図９は、図８のＡ−Ａ断面図である。
【０００９】
図９において、マンコンベア１０の欄干装置１２は、欄干パネル１５、保持具１６、内側デッキ１７、外側デッキ１８、スカートパネル１９を備えている。
【００１０】
ガラスパネルからなる欄干パネル１５は、ゴム製のパッキング２０を介して保持具１６で保持され、ボルト２１により保持具１６に固定されている。保持具１６は、１枚の欄干パネル１５を数ヵ所で支持している。図示していないが、保持具１６は、マンコンベア１０の主枠１１に固定されている。図示していないが、外側デッキ１８は、取り付け金を介して保持具１６に固定されている。外側デッキ１８の端部のうち、欄干パネル１５に近接する側は、保持具１６に固着されているプラスチック製の飾り金２２によって支持されている。同様に、内側デッキ１７の端部のうち、欄干パネル１５に近接する側も、保持具１６に固着されているプラスチック製の飾り金２３によって支持されている。スカートパネル１９の上端部には、ブロック２４がネジ２５により固定されている。同様に、内側デッキ１７の下端部（内側デッキ１７の端部のうち、欄干パネル１５に近接する側と反対側）にも、ブロック２４がネジ２６により固定されている。
【００１１】
ブロック２４のステップ１４側には、嵌合溝２４ａが設けられており、嵌合溝２４ａに嵌合する嵌合突起２７ａを有している覆い部材２７が取り付けられている。覆い部材２７は、内側デッキ１７及びスカートパネル１９を固定しているネジ２６，２５を覆う形状を有している。
【００１２】
従来から普及している大半の欄干装置では、例えば内側デッキ１７を固定しているネジ２６がマンコンベア１０の稼働中に緩み、マンコンベア１０の利用者（乗客）の足に当たって利用者がケガをすることがあるという課題があった。また、ネジ２６の出っ張り部分に利用者の衣服の一部が引っ掛かって利用者が転倒することがあるという課題があった。これらの課題に対処すべく、図９に示した欄干装置１２では、ネジ２６が覆い部材２７によって覆われている。しかしながら、以下の課題がある。
【００１３】
覆い部材２７を取り外すときは、覆い部材２７の上端部２７ｂ及び下端部２７ｃを手でつかんで覆い部材２７を引き抜くか、内側デッキ１７と覆い部材２７の上端部２７ｂとの間あるいはスカートパネル１９と覆い部材２７の下端部２７ｃとの間に薄い鉄板等を差込んで覆い部材２７を引き抜く必要がある。この作業を何度も繰り返していると、内側デッキ１７と覆い部材２７の上端部２７ｂとの間あるいはスカートパネル１９と覆い部材２７の下端部２７ｃとの間に隙間２８，２９が生じ、利用者の衣服の一部が隙間２８，２９に挟まって利用者が転倒する虞がある。
【００１４】
本発明は、例えば、マンコンベアの欄干装置の安全性及び作業性を改善することを目的とする。
【課題を解決するための手段】
【００１５】
本発明の一の態様に係るマンコンベアの欄干装置は、
マンコンベアのステップの移動方向に沿って立設される欄干パネルと、
表面に溝が形成され、前記溝の内面に貫通孔が設けられており、前記欄干パネルの少なくとも一部を覆うように取り付けられる化粧板と、
前記化粧板が固定される固定部材と、
前記貫通孔に挿入されて前記化粧板を前記固定部材に固定する固定具と、
前記貫通孔に挿入されて表面に露出した前記固定具を、前記溝に嵌合されて覆う飾り片とを備えることを特徴とする。
【発明の効果】
【００１６】
本発明の一の態様によれば、マンコンベアの欄干装置において、欄干パネルの少なくとも一部を覆うように取り付けられる化粧板の表面に溝が形成され、前記溝の内面に貫通孔が設けられており、固定具が、前記貫通孔に挿入されて前記化粧板を固定部材に固定し、飾り片が、前記貫通孔に挿入されて表面に露出した前記固定具を、前記溝に嵌合されて覆うため、マンコンベアの欄干装置の安全性及び作業性が改善される。
【図面の簡単な説明】
【００１７】
【図１】図８のＡ−Ａ断面図であり、実施の形態１に係るマンコンベアの欄干装置の構造を示す図である。
【図２】図１のＢ−Ｂ矢視図である。
【図３】図２のＣ−Ｃ断面図である。
【図４】図２のＤ−Ｄ断面図である。
【図５】実施の形態１に係る取り外し具の斜視図である。
【図６】図２のＤ−Ｄ断面図であり、実施の形態１に係る取り外し具の使用形態を示す図である。
【図７】実施の形態３に係る飾り片の斜視図である。
【図８】マンコンベアの側面図である。
【図９】図８のＡ−Ａ断面図であり、従来のマンコンベアの欄干装置の構造を示す図である。
【発明を実施するための形態】
【００１８】
以下、本発明の実施の形態について、図を用いて説明する。
【００１９】
実施の形態１．
本実施の形態において、マンコンベアの全体構成は図８に示したものと同様であるが、マンコンベア１０は、図９に示した欄干装置１２に代えて、図１に示す欄干装置３０を備える。なお、図８に示したマンコンベア１０はエスカレータであるが、本実施の形態は、トラベータ（動く歩道）あるいはその他のマンコンベアにも適用可能である。
【００２０】
図１は、図８のＡ−Ａ断面図に相当し、本実施の形態に係るマンコンベア１０の欄干装置３０の構造を示す図である。
【００２１】
図１において、マンコンベア１０の欄干装置３０は、欄干パネル３１、保持具３２、内側デッキ３３、外側デッキ３４、スカートパネル３５、スカートアングル３６、スカートアングルブラケット３７、飾り片３８を備えている。
【００２２】
ガラスパネルからなる欄干パネル３１は、マンコンベア１０のステップ１４の移動方向に沿って立設されている。欄干パネル３１の下端部は、ゴム製のパッキング３９を介して保持具３２で保持され、ボルト４０により保持具３２に固定されている。図示していないが、保持具３２は、マンコンベア１０の主枠１１に固定されている。内側デッキ３３は、欄干パネル３１の下端部を覆うようにステップ１４側から取り付けられている。外側デッキ３４は、欄干パネル３１の下端部を覆うようにステップ１４側と反対側から取り付けられている。図示していないが、外側デッキ３４は、保持具３２に固定されている。外側デッキ３４の端部のうち、欄干パネル３１に近接する側は、プラスチック製の飾り金４１に差し込まれており、飾り金４１は、止め金４２及びネジ４３により保持具３２に固定されている。同様に、内側デッキ３３の端部のうち、欄干パネル３１に近接する側は、プラスチック製の飾り金４４に差し込まれており、飾り金４４は、止め金４５及びネジ４６により保持具３２に固定されている。図示していないが、スカートアングルブラケット３７は、マンコンベア１０の主枠１１に固定されている。スカートアングル３６は、ボルト４７によりスカートアングルブラケット３７に固定されている。スカートパネル３５は、表面がステップ１４の側面に近接して相対するように取り付けられている。スカートパネル３５には、ネジ穴４８が設けられており、スカートパネル３５は、ネジ穴４８に螺入されたネジ４９によりスカートアングル３６に固定されている。内側デッキ３３は、欄干パネル３１とスカートパネル３５との間を塞ぐように取り付けられている。内側デッキ３３の下端部（内側デッキ３３の端部のうち、欄干パネル３１に近接する側と反対側）には、ネジ穴５０が設けられており、内側デッキ３３の下端部も、スカートパネル３５と同様にネジ穴５０に螺入されたネジ５１によりスカートアングル３６に固定されている。
【００２３】
内側デッキ３３を固定しているネジ５１の直上には、嵌合溝５２が設けられ、嵌合溝５２には、プラスチック製の飾り片３８が嵌合されている。飾り片３８は、断面が略円形状に形成されており、内側デッキ３３の嵌合溝５２に納まった状態では、抜け防止のため、断面の中心が嵌合溝５２に深く入り込むようになっている。内側デッキ３３の下端３３ａは、スカートパネル３５を固定しているネジ４９を覆う形状を有している。
【００２４】
上記のように、本実施の形態では、内側デッキ３３の表面（ステップ１４側を向く面）に嵌合溝５２が形成され、嵌合溝５２の内面にネジ穴５０が設けられている。ネジ穴５０にネジ５１が挿入されると、内側デッキ３３がネジ５１によりスカートアングル３６に固定される。そして、嵌合溝５２に飾り片３８が嵌合されると、ネジ穴５０に挿入されて表面（ステップ１４側を向く面）に露出したネジ５１が飾り片３８により覆われる。これにより、ネジ５１がステップ１４側に露出して乗客の足に当たったり、乗客の衣服の一部に引っ掛かったりするのを防ぐことができる。
【００２５】
なお、ネジ穴５０（貫通孔の一例）は、内側デッキ３３の嵌合溝５２の内面に設けられるものであれば、他の貫通孔に置き換えてもよい。ネジ５１（固定具の一例）は、当該貫通孔に挿入されて内側デッキ３３をスカートアングル３６に固定するものであれば、他の固定具に置き換えてもよい。例えば、当該固定具としてリベットを用いてもよい。スカートアングル３６（固定部材の一例）は、当該固定具により内側デッキ３３が固定されるものであれば、他の固定部材に置き換えてもよい。例えば、当該固定部材としてマンコンベア１０の主枠１１の一部を用いてもよい。内側デッキ３３（化粧板の一例）は、表面に嵌合溝５２が形成され、嵌合溝５２の内面に上記貫通孔が設けられるものであれば、他の化粧板に置き換えてもよい。例えば、当該化粧板として欄干パネル３１のステップ１４側を向く面全体を覆うように取り付けられるものを用いてもよい。また、例えば、当該化粧板としてスカートパネル３５あるいは内側デッキ３３とスカートパネル３５とが一体になったものを用いてもよい。
【００２６】
また、本実施の形態では、スカートパネル３５の表面（ステップ１４側を向く面）にネジ穴４８が設けられている。ネジ穴４８にネジ４９が挿入されると、スカートパネル３５がネジ４９によりスカートアングル３６に連結される。内側デッキ３３の下端３３ａが延設されているため、内側デッキ３３が取り付けられると、ネジ穴４８に挿入されて表面（ステップ１４側を向く面）に露出したネジ４９が内側デッキ３３の下端３３ａにより覆われる。これにより、ネジ４９がステップ１４側に露出して乗客の足に当たったり、乗客の衣服の一部に引っ掛かったりするのを防ぐことができる。
【００２７】
なお、ネジ穴４８（穿孔の一例）は、スカートパネル３５に設けられるものであれば、他の穿孔に置き換えてもよい。ネジ４９（連結具の一例）は、当該穿孔に挿入されてスカートパネル３５をスカートアングル３６に連結するものであれば、他の連結具に置き換えてもよい。例えば、当該連結具としてリベットを用いてもよい。
【００２８】
図２は、図１のＢ−Ｂ矢視図（図１のＢ−Ｂ方向からの矢視図）であり、内側デッキ３３の継ぎ部分を示す図である。
【００２９】
図２において、内側デッキ３３、スカートパネル３５、飾り片３８の切れ目５３，５４，５５は、ステップ１４の移動方向において略同じ位置にあるものとする。ネジ４９，５１は、切れ目５３，５４，５５の近くに位置している。内側デッキ３３にて、ネジ４９，５１の近傍には断面が略半円形状の取り外し溝５６（切り欠き）が、飾り片３８の取り外しを容易にするために設けられている。
【００３０】
上記のように、本実施の形態では、マンコンベア１０の欄干装置３０が飾り片３８を複数備えており、各飾り片３８のエッジである切れ目５５を内側デッキ３３及びスカートパネル３５の切れ目５３，５４と合わせている。このため、各飾り片３８を嵌合溝５２から別々に取り外し、さらに、同じ位置の内側デッキ３３やスカートパネル３５を取り外して、マンコンベア１０の内部点検等を行うことができる。なお、飾り片３８の切れ目５５を、内側デッキ３３及びスカートパネル３５の切れ目５３，５４と合わせる代わりに、マンコンベア１０の内部点検を（頻繁に）行う部分の境目と合わせてもよい。即ち、マンコンベア１０の内部点検を行う部分の飾り片３８を分割してもよい。これにより、飾り片３８の必要な部分のみの取り外しが可能となり、作業性が向上する。
【００３１】
図３は、図２のＣ−Ｃ断面図である。図４は、図２のＤ−Ｄ断面図である。
【００３２】
図３において、嵌合溝５２は、断面が略コ字状に形成されている。これに対し、図４において、取り外し溝５６は、断面が嵌合溝５２より大きい略半円形状に形成されている。
【００３３】
図５は、飾り片３８の取り外し時に使用される外し板５７の斜視図である。図６は、図２のＤ−Ｄ断面図に相当し、外し板５７の使用形態を示す図である。
【００３４】
以下では、飾り片３８の着脱方法について説明をする。
【００３５】
飾り片３８の取り付けは、内側デッキ３３をネジ５１によりスカートアングル３６に固定した後、飾り片３８を嵌合溝５２に押し付けて挿入することにより行う。一方、飾り片３８の取り外しは、図５に示した外し板５７のような薄い鉄板等からなる取り外し具を内側デッキ３３の取り外し溝５６に差し込み、飾り片３８とともに図６の矢印Ｘ方向に引っ張ることにより行う。
【００３６】
上記のように、本実施の形態では、嵌合溝５２から飾り片３８を取り外すための外し板５７を挿入するための取り外し溝５６が嵌合溝５２に設けられている。そのため、飾り片３８の取り外しが容易である。
【００３７】
以上のように、本実施の形態では、飾り片３８により内側デッキ３３を固定しているネジ５１を隠すことで、マンコンベア１０の欄干装置３０の安全性向上を図っている。さらに、本実施の形態では、飾り片３８の取り外しを、外し板５７を用いることにより容易とすることで、マンコンベア１０の欄干装置３０の作業性改善を図っている。
【００３８】
前述したように、図９に示した欄干装置１２の構造では、覆い部材２７の嵌合位置と覆い部材２７をつまんで取り外す位置とがずれているため、覆い部材２７を何度も取り外したり、覆い部材２７を取り外すのに力を入れすぎたりすると、覆い部材２７が変形することになる。そして、その結果、覆い部材２７と内側デッキ１７あるいはスカートパネル１９との間に隙間２８，２９が生じる。これに対し、本実施の形態では、飾り片３８が略円柱状に形成されており、嵌合位置と取り外す位置とが同一線上にあるため、飾り片３８を何度も取り外したり、飾り片３８を取り外すのに力を入れすぎたりしても、飾り片３８が変形しない。そのため、飾り片３８の取り外しを繰り返しても、マンコンベア１０の利用者の衣服が挟まるような隙間ができない。さらに、本実施の形態では、飾り片３８の断面が略円形状に形成されているため、マンコンベア１０の利用者の足が触れても利用者がケガをすることがない。したがって、本実施の形態によれば、マンコンベア１０の欄干装置３０の安全性が向上する。なお、飾り片３８の形状は円柱形状に限るものではなく、嵌合溝５２に嵌合できる形状であればよい。嵌合溝５２の形状もコ字状に限るものではなく、飾り片３８を嵌合できる形状であればよい。
【００３９】
以上説明したように、本実施の形態に係るマンコンベアの欄干装置は、内側デッキにおいて内側デッキの固定ネジの直上に嵌合溝を設け、この溝に嵌合する飾り片を設け、さらに、飾り片を取り外すための溝を内側デッキ（嵌合溝の一部）に設けたことを特徴とする。飾り片が内側デッキの固定ネジの直上にあるため、ネジの緩みによるネジ頭部の飛び出しを防止できる。また、飾り片の取り外し用の溝を内側デッキに設けたため、外し板により飾り片の取り外しが容易にできる。
【００４０】
また、本実施の形態に係るマンコンベアの欄干装置は、上記の飾り片の断面形状を略円形状としたことを特徴とする。飾り片の断面が略円形状のため、マンコンベアの利用者の足が接触しても利用者がケガをしない。
【００４１】
このように、本実施の形態によれば、マンコンベアの欄干装置の安全性の向上及び飾り片の取り外し作業性の改善を図ることができる。
【００４２】
実施の形態２．
本実施の形態について、主に実施の形態１との差異を説明する。
【００４３】
実施の形態１では、図２に示したように、飾り片３８の切れ目５５を内側デッキ３３の切れ目５３と合わせていた。これに対し、本実施の形態では、飾り片３８に切れ目５５がなく、飾り片３８は、マンコンベア１０の乗り口から降り口まで延びる一本物として形成されているものとする。
【００４４】
実施の形態１のように、飾り片３８が円柱形状を有していても、切れ目５５の部分には経年変化及び着脱回数によって段差が生じることがある。一方、本実施の形態では、飾り片３８をマンコンベア１０の乗り口から降り口まで延びる一本物とすることにより段差が生じることがなくなり、安全性が向上する。また、切れ目５５がないため、外観もよくなる。
【００４５】
実施の形態３．
本実施の形態について、主に実施の形態１との差異を説明する。
【００４６】
図７は、本実施の形態に係る飾り片３８の斜視図である。
【００４７】
図７において、飾り片３８には段差５８の部分（切り欠き）が設けられている。これは、実施の形態１における内側デッキ３３の嵌合溝５２に設けた取り外し溝５６の代わりに、飾り片３８に取り外し用の溝を設けたものであり、効果は実施の形態１と同様である。なお、内側デッキ３３の嵌合溝５２に取り外し溝５６を設けておき、飾り片３８にて取り外し溝５６の位置に対応する位置に段差５８を設けてもよい。
【００４８】
上記のように、本実施の形態では、嵌合溝５２から飾り片３８を取り外すための外し板５７を挿入するための段差５８が飾り片３８に設けられている。そのため、飾り片３８の取り外しが容易である。
【００４９】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００５０】
１０  マンコンベア、１１  主枠、１２  欄干装置、１３  ゴム手摺、１４  ステップ、１５  欄干パネル、１６  保持具、１７  内側デッキ、１８  外側デッキ、１９  スカートパネル、２０  パッキング、２１  ボルト、２２，２３  飾り金、２４  ブロック、２４ａ  嵌合溝、２５，２６  ネジ、２７  覆い部材、２７ａ  嵌合突起、２７ｂ  上端部、２７ｃ  下端部、２８，２９  隙間、３０  欄干装置、３１  欄干パネル、３２  保持具、３３  内側デッキ、３３ａ  下端、３４  外側デッキ、３５  スカートパネル、３６  スカートアングル、３７  スカートアングルブラケット、３８  飾り片、３９  パッキング、４０  ボルト、４１，４４  飾り金、４２，４５  止め金、４３，４６  ネジ、４７  ボルト、４８，５０  ネジ穴、４９，５１  ネジ、５２  嵌合溝、５３，５４，５５  切れ目、５６  取り外し溝、５７  外し板、５８  段差。
【図１】
2010184751.tif 000003
【図２】
2010184751.tif 000004
【図３】
2010184751.tif 000005
【図４】
2010184751.tif 000006
【図５】
2010184751.tif 000007
【図６】
2010184751.tif 000008
【図７】
2010184751.tif 000009
【図８】
2010184751.tif 000010
【図９】
2010184751.tif 000011